(57)【要約】【課題】伝熱管の部品点数が少なく、容易に組み付けができ、且つ往還伝熱管と帰還伝熱管との連通部分でのプロセス流体の流れに滞りがない多管型熱交換器を提供する。【解決手段】熱媒体とプロセス流体間の熱交換をさせる多管型熱交換器１は、シェル２０の両端に管板１０を設け、管板１０間に複数本の伝熱管３１，３２を多段に架設してシェル２０内に収納するとともに、単一に一体成形された鋳物の屈曲管５０によって伝熱管３１，３２をシェル２０の外部で連通させた連通伝熱管３０とし、シェル２０内には熱媒体となる流体を注入し、連通伝熱管３０内にプロセス流体を流通させて、プロセス流体とシェル２０内の熱媒体との間で熱交換させる。【選択図】図１
2017009265.tif 000002
【特許請求の範囲】
【請求項１】
シェルの両端に設けた管板間に複数本の伝熱管を多段に架設して前記シェル内に収納するとともに前記伝熱管を前記シェルの外部で連通し、前記シェル内には熱媒体となる流体を注入し、前記複数本の伝熱管を連通した連通伝熱管内にはプロセス流体を流通させて、該プロセス流体と前記熱媒体との間で熱交換させる多管型熱交換器において、
前記管板に接合させる蓋板と、
前記管板に架設された前記複数本の伝熱管それぞれの端部を、前記蓋板よりも外側で連通させる、前記蓋板に取り付けられた屈曲管と、
を備え、
前記屈曲管は、単一に一体成形された鋳物であることを特徴とする多管型熱交換器。
【請求項２】
前記屈曲管は、管の外径をＤとし、曲げ半径をＲとしたときに、Ｒ／Ｄ＝１となる１８０°Ｕ字管であり、
前記プロセス流体を注入する注入ノズルを前記連通伝熱管のうち最上流の伝熱管に設け、前記連通伝熱管内に注入された前記プロセス流体を排出する排出ノズルを前記連通伝熱管のうち最下流の伝熱管に設け、前記連通伝熱管を前記最上流の伝熱管から前記最下流の伝熱管まで前記プロセル流体が自然流下するように配設したことを特徴とする請求項１に記載の多段型熱交換器。
【請求項３】
前記複数本の伝熱管それぞれを個別に囲む伝熱管シールガスケットと、前記連通伝熱管の全体をまとめて囲む外周シールガスケットとが前記管板と前記蓋板との間に挟まれるように配設され、
前記伝熱管シールガスケットと外周シールガスケットとの間に形成された間隙に各種流体を注入する注入部と、前記間隙から各種流体を排出させる排出部を設けて、外部からの汚染を防止したことを特徴とする請求項２に記載の多管型熱交換器。
【請求項４】
前記伝熱管シールガスケットによるシーリングの耐圧力は、前記外周シールガスケットによるシーリングの耐圧力よりも大きく、
前記間隙に注入した各種流体が前記シェル内に混入することを防止したことを特徴とする請求項２または３に記載の多管型熱交換器。
【発明の詳細な説明】
【技術分野】
【０００１】
本発明は、シェルの両端に管板を設け、管板間にそれぞれ複数本の往還伝熱管および帰還伝熱管を架設してシェル内に収納し、シェル内に熱媒体となる流体を注入し、伝熱管内にはプロセス流体を注入して、それぞれの流体間の熱交換をさせる多管型熱交換器に関する。
【背景技術】
【０００２】
従来、食品・医薬品・化粧品等のプロセス流体を加熱冷却殺菌するための熱交換器として、チューブ式、プレート式等の熱交換器が使用されている。また、プロセス流体は、低粘度のものから高粘度のものまである。さらにプロセス流体には、固形分を含むスラリー流体のものや非ニュートン特性を有する流体まで様々なものがある。特に、飲料等の比較的粘度の低いプロセス流体に使用されている熱交換器としては、プレート式あるいは多管型の熱交換器が使用されている。
【０００３】
このような熱交換器のうち多管型熱交換器としては、例えば特許文献１に示すようなものがある。  
すなわち、複数本の往還伝熱管と帰還伝熱管とをチャンネルカバー板に架設し、チャンネルカバー板の外側で往還伝熱管と帰還伝熱管とを二本のパイプから構成したＵ字管で連通したものである。このＵ字管は、より具体的には、同一径の二本のパイプをそれぞれ所定の角度で曲げてからそれぞれの曲げ部を適宜に切断し、切断面同士を当接させた状態で当接部分を溶着したものである。
【先行技術文献】
【特許文献】
【０００４】
【特許文献１】特許第３３７４３４５号公報
【発明の概要】
【発明が解決しようとする課題】
【０００５】
しかしながら、このような従来の技術では、Ｕ字管の製造に二本のパイプ（直管）それぞれを所定の角度で曲げる工程と、曲げた二本のパイプそれぞれの曲げ部を所定の箇所で切断する工程と、さらに切断した二本のパイプの切断面同士を当接する工程と、当接させた状態のままに当接部分を溶着する工程と、溶着部分を研磨する工程等が必要で有る。このようにＵ字管の製造には多くの工程を要し、製造時間が掛かる上にコストも掛かるという問題点が有った。
【０００６】
また、特に溶接して接続した接続部分に段差や溶接の膨らみ等が残っていると、その部分の洗浄性が悪くなるのでサニタリー性に問題が生じやすいという不具合も有った。
【０００７】
本発明は、このような従来の技術が有する問題点に着目してなされたもので、Ｕ字管等の屈曲管を構成するための多くの工程を必要とせず、製造時間が短く、製造コストの低減が可能であり、且つＵ字管等は、研磨工程のような特別な工程を必要としなくても内壁が滑らかな面を有しているので洗浄性に優れており、さらに部品点数が少ない多管型熱交換器を提供することを目的としている。
【課題を解決するための手段】
【０００８】
かかる目的を達成するための本発明の要旨とするところは、次の各項の発明に存する。
［１］  シェル（２０）の両端に設けた管板（１０）間に複数本の伝熱管（３１，３２）を多段に架設して前記シェル（２０）内に収納するとともに前記伝熱管（３１，３２）を前記シェル（２０）の外部で連通し、前記シェル（２０）内には熱媒体となる流体を注入し、前記複数本の伝熱管（３１，３２）を連通した連通伝熱管（３０）内にはプロセス流体を流通させて、該プロセス流体と前記熱媒体との間で熱交換させる多管型熱交換器（１）において、
前記管板（１０）に接合させる蓋板（４０）と、
前記管板（１０）に架設された前記複数本の伝熱管（３１，３２）それぞれの端部を、前記蓋板（４０）よりも外側で連通させる、前記蓋板（４０）に取り付けられた屈曲管（５０）と、
を備え、
前記屈曲管（５０）は、単一に一体成形された鋳物であることを特徴とする多管型熱交換器（１）。
【０００９】
［２］  前記屈曲管（５０）は、管の外径をＤとし、曲げ半径をＲとしたときに、Ｒ／Ｄ＝１となる１８０°Ｕ字管であり、
前記プロセス流体を注入する注入ノズル（３１０）を前記連通伝熱管（３０）のうち最上流の伝熱管に設け、前記連通伝熱管（３０）内に注入された前記プロセス流体を排出する排出ノズル（３２０）を前記連通伝熱管（３０）のうち最下流の伝熱管に設け、前記連通伝熱管（３０）を前記最上流の伝熱管から前記最下流の伝熱管まで前記プロセル流体が自然流下するように配設したことを特徴とする項［１］に記載の多段型熱交換器（１）。
【００１０】
［３］  前記複数本の伝熱管（３１，３２）それぞれを個別に囲む伝熱管シールガスケット（７１）と、前記連通伝熱管（３０）の全体をまとめて囲む外周シールガスケット（７２）とが前記管板（１０）と前記蓋板（４０）との間に挟まれるように配設され、
前記伝熱管シールガスケット（７１）と外周シールガスケット（７２）との間に形成された間隙（１００）に各種流体を注入する注入部（６１）と、前記間隙（１００）から各種流体を排出させる排出部（６２）を設けて、外部からの汚染を防止したことを特徴とする項［２］に記載の多管型熱交換器（１）。
【００１１】
［４］  前記伝熱管シールガスケット（７１）によるシーリングの耐圧力は、前記外周シールガスケット（７２）によるシーリングの耐圧力よりも大きく、
前記間隙（１００）に注入した各種流体が前記シェル（２０）内に混入することを防止したことを特徴とする項［２］または［３］に記載の多管型熱交換器（１）。
【００１２】
前記本発明は次のように作用する。  
多管型熱交換器（１）は、シェル（２０）内で連通伝熱管（３０）の外部に熱媒体となる流体の注入、流通、および排出をさせ、連通伝熱管（３０）内ではプロセス流体の注入、流通、排出をさせる。これによってプロセス流体と熱媒体との間で熱交換させることができる。
【００１３】
シェル（２０）の両端は、管板（１０）によって密閉されているので、シェル（２０）内に注入された熱媒体は、シェル（２０）の外部に漏れることがない。シェル（２０）内に延びる連通伝熱管（３０）は、蓋板（４０）の外側に延びてＵターンしている屈曲管（５０）に接続されている。したがって、シェル（２０）内の連通伝熱管（３０）内を流れるプロセス流体は、蓋板（４０）の外側に延びる屈曲管（５０）内を流れながら一旦シェル（２０）の外に出て、再びシェル（２０）内の連通伝熱管（３０）に流れ込む。
【００１４】
屈曲管（５０）は、管の外径をＤとし、曲げ半径をＲとしたときに、Ｒ／Ｄ＝１となる１８０°Ｕ字管としたものにおいては、通過するプロセス流体に撹拌効果が現れるので、熱伝達係数が大きくなるので、熱媒体との熱交換がより良好に行われる。
【００１５】
また、プロセス流体を注入する注入ノズル（３１０）を連通伝熱管（３０）のうち最上流の伝熱管に設け、連通伝熱管（３０）内に注入されたプロセス流体を排出する排出ノズル（３２０）を連通伝熱管（３０）のうち最下流の伝熱管に設けてあり、連通伝熱管（３０）は、最上流の伝熱管から最下流の伝熱管までをプロセス流体が自然流下するように配設されているので、プロセス流体は連通伝熱管（３０）を滞ることなく流通する。
【００１６】
管板（１０）と蓋板（４０）との間には、複数本の伝熱管（３１，３２）それぞれを個別に囲む伝熱管シールガスケット（７１）と、連通伝熱管（３０）の全体をまとめて囲む外周シールガスケット（７２）とが配設されている。
【００１７】
また、管板（１０）と蓋板（４０）とは、接合したときにそれらの間に僅かな間隙（１００）が形成されるように成形されている。間隙（１００）のうち外周シールガスケット（７２）よりも外周縁寄りの部分と、外周シールガスケット（７２）と伝熱管シールガスケット（７１）との間の部分とは外周シールガスケット（７２）によって隔絶されている。
【００１８】
間隙（１００）のうち伝熱管シールガスケット（７１）と外周シールガスケット（７２）との間に形成された部分には、注入部（６１）から蒸気や無菌空気あるいはシール用流体等の各種流体を注入することができる。また、間隙（１００）内の各種流体は、排出部（６２）を介して外部に排出させることができる。これにより、シェル内が外部からの汚染に晒されることを防止することができる。
【００１９】
また、伝熱管シールガスケット（７１）によるシーリングの耐圧力を外周シールガスケット（７２）によるシーリングの耐圧力よりも大きく設定してあるので、間隙（１００）に注入した各種流体が伝熱管シールガスケット（７１）の部分を通ってシェル（２０）内側に浸入してしまうことを防止できている。
【発明の効果】
【００２０】
本発明にかかる多管型熱交換器によれば、蓋板に取り付けられた屈曲管が単一に一体成形された鋳物であるので、製造工程が大幅に少なくなり、製造コストの削減をすることができる。
また、屈曲管に接続部分がないので内壁面を滑らかにすることができ、これによって洗浄性が良好であり、サニタリー性に優れたものとすることができる。
【図面の簡単な説明】
【００２１】
【図１】本発明の一実施の形態に係る多管型熱交換器の主要部を示す側面図である。
【図２】本発明の一実施の形態に係る多管型熱交換器の側面から見た概略を示す模式図である。
【発明を実施するための形態】
【００２２】
以下、図面に基づき本発明の好適な一実施の形態を説明する。  
各図は本発明の一実施の形態を示している。図１は、本発明の一実施の形態に係る多管型熱交換器における、発明の主要部を示す側面図であり、図２は、本発明の一実施の形態に係る多管型熱交換器を側面方向から見たときの概略を示す模式図である。  
【００２３】
図２に示すように、多管型熱交換器１は、管板１０をシェル２０の両端に密着固定してシェル２０の内部を外部環境から遮断している。両端の管板１０の間には、複数本の往還伝熱管３１および帰還伝熱管３２が架設されてシェル２０内に収納されている。これら複数本の往還伝熱管３１および帰還伝熱管３２は、後述するＵ字管５０によって接続されており、連通する連通伝熱管３０を構成している。
【００２４】
連通伝熱管３０の最上流の往還伝熱管３１にはプロセス流体を注入するためのプロセス流体注入ノズル３１０が設けられている。また、連通伝熱管３０の最下流の往還伝熱管３１にはプロセス流体を排出するためのプロセス流体排出ノズル３２０が設けられている。ここで言うプロセス流体とは、食品・医薬品・化粧品等における流体物のことである。連通伝熱管３０は、最上流の一端から注入されたプロセス流体が最下流の一端まで自然流下するように傾斜をつけて配設されている。
【００２５】
一方、シェル２０の一端部には、熱媒体となる流体を内部に注入するための熱媒体注入ノズル２１０が上方に向けて延設されている。また、もう一方の端部には、内部から熱媒体を排出するための熱媒体排出ノズル２２０が下方に向けて延設されている。シェル２０の両端間の内部には、上記のように往還伝熱管３１と帰還伝熱管３２が設けられている。
【００２６】
管板１０には複数の貫通孔が穿設されており、これら貫通孔には往還伝熱管３１または帰還伝熱管３２の一端部が貫通している。管板１０には外側に蓋板４０が接合されている。蓋板４０は管板１０にボルトとナットによって固定されている。
【００２７】
蓋板４０には管板１０と接合した状態で管板１０に穿設された貫通孔と重なる位置それぞれに貫通する接合孔が穿設されている。蓋板４０の各接合孔には外側から金属製の屈曲管であるＵ字管５０の管端部が嵌入している。例示したＵ字管５０は、ステンレス製の１８０°Ｕ字管である。Ｕ字管５０と蓋板４０とは溶接によって固着されている。Ｕ字管５０は、１８０°の曲げ部分が管の外径をＤとし、曲げ半径をＲとしたときに、Ｒ／Ｄ＝１となる所謂１ＤＲのＵ字管である。
【００２８】
Ｕ字管５０、連通伝熱管３０を成す往還伝熱管３１および帰還伝熱管３２それぞれの内径は同一である。また、Ｕ字管５０の内径も連通伝熱管３０の内径と同じである。蓋板４０の各接合孔の内径は大きさが異なる２段構成になっている。Ｕ字管５０が嵌入する外部寄りの部分の内径はＵ字管５０の外径と略同じである。この部分よりも奥の部分、即ち管板１０寄りの部分の内径はＵ字管５０および連通伝熱管３０の内径と同じである。
【００２９】
蓋板４０に嵌入したＵ字管５０の一端は往還伝熱管３１および帰還伝熱管３２の何れか一方の一端に接続されており、Ｕ字管５０のもう一端は往還伝熱管３１および帰還伝熱管３２の他方の一端に接続されている。したがって、管板１０に架設された往還伝熱管３１および帰還伝熱管３２は、シェル２０の外部のＵ字管５０を介して連通している。
【００３０】
Ｕ字管５０は、一体成形された鋳物である。これにより、Ｕ字管５０は従来のＵ字管のような接続部分はないので、内壁は滑らかな面に形成されている。このＵ字管５０は、溶接によって蓋板４０に固着されている。したがって、Ｕ字管５０と蓋板４０とは、溶接可能な素材の組合せになっている。通常はＵ字管５０と蓋板４０とを同じ素材にすればよい。
【００３１】
接合された管板１０と蓋板４０との接合面には僅かな間隙１００が形成されている。この間隙１００には、汚染防止のために蒸気や無菌空気あるいはシール用流体等の各種流体が注入される。
【００３２】
また、この間隙１００には外部から各種流体を注入するためのアセプティック用注入ノズル６１が設けられている。また、間隙１００内から外部へ各種流体を排出するためのアセプティック用排出ノズル６２も設けられている。アセプティック用注入ノズル６１には、流体の注入開始および注入停止を行うための開閉弁６３が設けられている。また、アセプティック用排出ノズル６２には間隙１００内に注入された流体を排出するとともに間隙１００内の圧力を調整するための圧力調整弁６４が設けられている。
【００３３】
間隙１００には、往還伝熱管３１および帰還伝熱管３２よりも大きい直径を有し、複数本の往還伝熱管３１および帰還伝熱管３２それぞれを個別に囲む複数の伝熱管シールガスケット７１が配設されている。また、連通伝熱管３０の全体をまとめて囲む１つの外周シールガスケット７２が配設されている。
【００３４】
この外周シールガスケット７２は、シェル２０の外径よりも大きい直径の円となるように配置されている。これら伝熱管シールガスケット７１および外周シールガスケット７２は、管板１０と蓋板４０とに挟まれるように配設されている。伝熱管シールガスケット７１と外周シールガスケット７２との間の部分の間隙１００には、前記のアセプティック用注入ノズル６１およびアセプティック用排出ノズル６２それぞれが接続されている。
【００３５】
伝熱管シールガスケット７１によるシーリングの耐圧力は、外周シールガスケット７２によるシーリングの耐圧力よりも大きく設定されている。したがって、伝熱管シールガスケット７１から間隙１００に注入された流体の圧力が大きくなると、外周シールガスケット７２側から流体が漏れ始める。このため、伝熱管シールガスケット７１に囲まれている伝熱管３１，３２側に流体が漏れることはない。これにより、間隙１００に注入された流体がシェル２０側に侵入することはない。
【００３６】
次に作用を説明する。  
多管型熱交換器１は、シェル２０内に収納され、往還伝熱管３１および帰還伝熱管３２をＵ字管５０によって連通させた連通伝熱管３０の外周面に熱媒体となる流体が接触するようにシェル２０内に熱媒体を注入し、流通させ、排出させる。連通伝熱管３０内には、プロセス流体を注入し、流通させ、排出させる。これによって連通伝熱管３０内のプロセス流体と連通伝熱管３０の外側の熱媒体とを連通伝熱管３０の管壁を介して熱交換させることができる。
【００３７】
両端が管板１０によって密閉されているシェル２０には熱媒体注入ノズル２１０から熱媒体が注入される。管板１０はシェル２０に密着固定されているので、注入された熱媒体がシェル２０の外部に漏れることはない。シェル２０内に注入した熱媒体は熱媒体排出ノズル２２０からシェル２０の外部に排出させることができる。
【００３８】
シェル２０内の連通伝熱管３０に注入してシェル２０内の熱媒体と熱交換させるプロセス流体は、プロセス流体注入ノズル３１０から連通伝熱管３０内に注入することができる。また、熱交換処理が終了したプロセス流体は、連通伝熱管３０からプロセス流体排出ノズル３２０を通して排出することができる。
【００３９】
これにより、連通伝熱管３０を介したプロセス流体と熱媒体との間に熱交換をさせる。プロセス流体注入ノズル３１０から往還伝熱管３１内に注入されたプロセス流体は、流通しながらシェル２０内の熱媒体と熱交換され、往還伝熱管３１の一端と接続されているＵ字管５０の一端からＵ字管５０内に流入する。
【００４０】
Ｕ字管５０はシェル２０の外部に設けられているので、プロセス流体は、Ｕ字管５０内を進む間は熱交換が成されない。Ｕ字管５０内を進んだプロセス流体は、Ｕ字管５０の他端に接続された一段下の帰還伝熱管３２の一端から帰還伝熱管３２内に流入する。帰還伝熱管３２はシェル２０内に配設されているので、帰還伝熱管３２内を流通するプロセス流体は、再びシェル２０内に入ってシェル２０内の熱媒体との間で連通伝熱管３０を介した熱交換が再開される。
【００４１】
帰還伝熱管３２内を他端まで進んだプロセス流体は、Ｕ字管５０を進んだ後、一段下の往還伝熱管３１内に流入する。このようにしてプロセス流体は連通伝熱管３０内を最下流まで流下する。
【００４２】
Ｕ字管５０は一体成形された単一の鋳物であるので、管内の壁面に繋ぎ目となる膨らみや段差等が無い滑らかな面に形成されている。これにより、Ｕ字管５０は内部の洗浄性の優れたものとなり、多管型熱交換器１のサニタリー性が向上される。また、プロセス流体はスムーズにＵ字管５０内を流通することができる。連通伝熱管３０内を進んでプロセス流体排出ノズル３２０に至ったプロセス流体は、プロセス流体排出ノズル３２０から排出される。
【００４３】
シェル２０の内部は両端に管板１０が密着固定されているが、管板１０よりも外側で管板１０に接合されている蓋板４０と管板１０との間に形成された間隙１００には各種流体を注入することができる。各種流体とは、例えば蒸気や無菌空気あるいはシール用流体等である。これにより、シェル２０の内部をシェル２０の外部環境から隔離することができる。したがって、外部環境からの汚染物質によってシェル２０の内部が汚染されることを防止できる。
【００４４】
このような流体は、複数の往還伝熱管３１および帰還伝熱管３２それぞれを個別に囲む伝熱管シールガスケット７１と、連通伝熱管３０の全体をまとめるように囲む外周シールガスケット７２との間の間隙１００にアセプティック用注入ノズル６１から注入される。アセプティック用注入ノズル６１には開閉弁６３が設けられているので、開閉弁６３の操作によって注入の開始および停止を行うことができ、流体の注入量を調節することもできる。
【００４５】
間隙１００に注入された流体は、アセプティック用排出ノズル６２から排出させることができる。排出は圧力調整弁６４を開くことによって行うことができる。また、圧力調整弁６４を調節することによって間隙１００内の圧力調整を行うことができる。
【００４６】
なお、伝熱管シールガスケット７１によるシーリングの耐圧力は、外周シールガスケット７２によるシーリングの耐圧力よりも大きく設定されている。間隙１００内の圧力は、外周シールガスケット７２の耐圧力よりもやや小さい値となるように設定しておく。これにより、間隙１００内の流体が伝熱管シールガスケット７１から漏れてシェル２０内側へ浸入してしまう虞がなくなり、シェル２０内部の汚染を防止することができる。
【００４７】
間隙１００内の圧力が外周シールガスケット７２の耐圧力を超えるような大きさに上昇した場合には、伝熱管シールガスケット７１の部分からシェル２０に流体が浸入する程の圧力に達する以前に、外周シールガスケット７２から間隙１００の外部に流体が漏れ出る。これにより、伝熱管シールガスケット７１の部分からシェル２０内部に流体が浸入してしまうことを防止することができる。
【００４８】
以上、本発明の実施の形態を図面によって説明してきたが、具体的な構成は前述した実施の形態に限られるものではなく、本発明の要旨を逸脱しない範囲における変更や追加があっても本発明に含まれる。例えば、図２に例示したものは、シェル２０の長手方向の一方の側にプロセス流体注入ノズル３１０が配置され、他方の側にプロセス流体排出ノズル３２０を配置してあるが、プロセス流体排出ノズル３２０をプロセス流体注入ノズル３１０と同じ側の下方に配置してもよい。すなわち、連通伝熱管３０の最下流の伝熱管を帰還伝熱管３２とし、該帰還伝熱管３２の一部にプロセス流体排出ノズル３２０を設けてもよい。
【００４９】
また、プロセス流体注入ノズル３１０を連通伝熱管３０の最上流の管端と同心に接続して設けて有り、プロセス流体排出ノズル３２０を連通伝熱管３０の最下流の管端と同心に接続して設けて有るが、同心に設けるのではなく、上方から連通伝熱管３０の最上流の管端付近に連通するようにプロセス流体注入ノズル３１０を接続し、下方から連通伝熱管３０の最下流の管端付近に連通するようにプロセス流体排出ノズル３２０を接続してもよい。
【産業上の利用可能性】
【００５０】
本発明は、単一のシェル内に往還伝熱管と帰還伝熱管を備えた多管型熱交換器を例に挙げ、屈曲管として単一に一体成形された鋳物の１８０°Ｕ字管を備えるものとして説明したが、複数のシェルが並列または直列に連結連通され、それら複数のシェル内を延びる伝熱管を１８０°Ｕ字管や１８０°Ｕ字管とは異なる屈曲管によって接続したような多管型熱交換器においても広く適用することができる。
【符号の説明】
【００５１】
１…多管型熱交換器
１０…管板
２０…シェル
３０…連通伝熱管
３１…往還伝熱管
３２…帰還伝熱管
４０…蓋板
５０…Ｕ字管（屈曲管）
６１…アセプティック用注入ノズル
６２…アセプティック用排出ノズル
６３…開閉弁
６４…圧力調整弁
７１…伝熱管シールガスケット
７２…外周シールガスケット
１００…間隙
２１０…熱媒体注入ノズル
２２０…熱媒体排出ノズル
３１０…プロセス流体注入ノズル
３２０…プロセス流体排出ノズル
【図１】
2017009265.tif 000003
【図２】
2017009265.tif 000004